(57)【特許請求の範囲】
【請求項１】
電気電子機器収納箱の筐体外面に取り付けられるベース部材と、前記ベース部材に着脱可能に装着され、その下部に通気用の開放部を形成したカバー部材とを備える換気装置であって、
前記ベース部材の左右両端部の少なくとも一方に形成した係合部と、前記カバー部材の左右両側隅部の少なくとも一方に形成した被係合部とが互いに係合することで、前記カバー部材が前記ベース部材に着脱可能に装着され、
前記カバー部材の側部を押圧することにより、前記係合部と前記被係合部との係合が解除される構造であり、
さらに、前記カバー部材には内向きの突起片が形成され、前記カバー部材を押圧して前記係合部と前記被係合部との係合を解除したとき前記突起片を当接して前記カバー部材の前方への移動を規制する規制片が前記ベース部材に形成されていることを特徴とする換気装置。
【請求項２】
前記ベース部材の前記係合部よりも上方には、前記カバー部材の前記突起片を露出させる切欠き部が形成されていることを特徴とする請求項１に記載の換気装置。
【請求項３】
前記ベース部材が前記カバー部材の前記突起片をガイドするガイド部を有し、
前記ガイド部に沿って前記カバー部材を切欠部の対応位置まで移動させ、前記カバー部材の押圧を開放したとき前記切欠き部から前記突起片が露出し、前記カバー部材の前方への取り外しが許容されることを特徴とする請求項２に記載の換気装置。
【発明の詳細な説明】
【技術分野】
【０００１】
本発明は、電気電子機器収納箱等に外付けされるカバー部材を備える換気装置に関する。
【背景技術】
【０００２】
従来、屋外に設置される電気電子機器収納箱においては、筐体に設けられる換気口の防塵および防水性能を確保したフード状のカバー部材を備える換気装置が備えられている（例えば特許文献１参照）。特許文献１の換気装置は、電気電子機器収納箱の設置環境に応じた防水性能等を得るために、ルーバ取付体の前面開口にルーバカバーを係合したうえ、該ルーバカバーの前面側に着脱自在なカバー部材を備えている。
【０００３】
この種の換気装置では、カバー部材の開放両端部を換気装置本体の前面側に係合させることにより、換気口またはルーバを覆う位置にカバー部材が取り付けられる。カバー部材を取り外す際には、カバー部材の下側開放部を外側に開くように撓ませることで、換気装置本体（ベース部材）との係合が容易に解除される。
【先行技術文献】
【特許文献】
【０００４】
【特許文献１】特開２００６−３３２４４８号公報
【発明の概要】
【発明が解決しようとする課題】
【０００５】
ところが、従来のカバー取付構造では、カバー部材の正面に何らかの衝撃や不測の外力が加えられたときに側板部が外側に撓み、その際に換気装置本体との係合が外れて脱落するおそれがあった。
【０００６】
本発明は、このような従来の問題を解決するため、外部から力が加えられた場合でも、カバー部材の脱落を防止可能な換気装置を提供することを目的としている。
【課題を解決するための手段】
【０００７】
上記課題を解決するため、本発明は、電気電子機器収納箱の筐体外面に取り付けられるベース部材と、前記ベース部材に着脱可能に装着され、その下部に通気用の開放部を形成したカバー部材とを備える換気装置であって、前記ベース部材の左右両端部に形成した係合部と、前記カバー部材の左右両側隅部に形成した被係合部とが互いに係合することで、前記カバー部材が前記ベース部材に着脱可能に装着され、前記カバー部材の左右両側部を押圧することにより、前記係合部と前記被係合部との係合が解除される構造であり、さらに、前記カバー部材には内向きの突起片が形成され、前記カバー部材を押圧して前記係合部と前記被係合部との係合を解除したとき前記突起片を当接して前記カバー部材の前方への移動を規制する規制片が前記ベース部材に形成されていることを特徴とする換気装置である。
【０００８】
この構成の換気装置によれば、カバー部材の正面に力が作用しても、カバー部材がベース部材から脱落することはない。
【００１０】
しかも、この構成によれば、カバー部材の側面に不測の外力が作用したとしても、ベース部材の規制片がカバー部材の突起片を係止るため、カバー部材がベース部材から脱落することはない。
【００１１】
また、前記ベース部材の前記係合部よりも上方には、前記カバー部材の前記突起片を露出させる切欠き部が形成されていることが好ましい。
【００１２】
この構成によれば、カバー部材の少なくとも一方の側部を押圧しながら若干上方に移動させるだけで、カバー部材をベース部材から取り外すことができる。
【００１３】
また、換気装置は、前記ベース部材が前記カバー部材の前記突起片をガイドするガイド部を有し、前記ガイド部に沿って前記カバー部材を切欠部の対応位置まで移動させ、前記カバー部材の押圧を開放したとき前記切欠き部から前記突起片が露出し、前記カバー部材の前方への取り外しが許容される構成であることが好ましい。
【００１４】
この構成によれば、カバー部材を僅かなスライド量だけで着脱することができる。したがって、上方にスペースが少ない場合でもカバー部材を着脱することができる。
【発明の効果】
【００１５】
本発明によれば、外部から不測の力が加えられた場合でも、カバー部材の脱落を防止することができる。
【図面の簡単な説明】
【００１６】
【図１】換気装置を前上方から見た斜視図である。
【図２】換気装置を後上方から見た斜視図である。
【図３】カバー部材を後上方から見た斜視図である。
【図４】ベース部材を前上方から見た斜視図である。
【図５Ａ】カバー部材がベース部材に装着された状態を示す斜視図である。
【図５Ｂ】カバー部材がベース部材に装着された状態を他の方向から示す斜視図である。
【図５Ｃ】カバー部材がベース部材に装着された状態の略断面図である。
【図６Ａ】カバー部材を押圧した状態を示す斜視図である。
【図６Ｂ】カバー部材を押圧した状態の略断面図である。
【図７Ａ】カバー部材を押圧し若干上方に移動させた状態を示す斜視図である。
【図７Ｂ】カバー部材を押圧し若干上方に移動させた状態の略断面図である。
【図８Ａ】カバー部材を若干上方に移動させ押圧を開放した状態を示す斜視図である。
【図８Ｂ】カバー部材を若干上方に移動させ押圧を開放した状態の略断面図である。
【図９】他の実施形態によるカバー部材およびベース部材の係合状態を示す図である。
【発明を実施するための形態】
【００１７】
本発明に係る換気装置の好適な実施形態を、以下図面を参照して説明する。図１は、本発明の一実施形態による換気装置１０であり、前上方から見た斜視図である。図２はその換気装置１０を後上方から見た斜視図である。換気装置１０は、屋外等に設置される電気電子機器収納箱の換気口に取り付けられ、風雨や埃が筐体内に吹き込まないようにするためにフード状のカバー部材２０を備えている。
【００１８】
ベース部材３０は、例えば防水性のパッキン５０を介在させて、図示しない電気電子機器収納箱の筐体外面に取り付けられる取付基板である。本実施形態では、ベース部材３０の前方（外側に相当）に、ルーバ４０（図２では、ルーバ４０の背面側がベース部材３０の開口部を通して図示される。）を設けた換気装置１０を説明する。ただし、本発明は、ルーバとベース部材との間にフィルタを設けた換気装置や、フィルタのみをベース部材の前面に配置したもの等、一般的な換気装置にも適用することができる。
【００１９】
本発明の特徴であるカバー部材２０とベース部材３０との着脱可能な係合構造について詳細に説明する。
カバー部材２０は、その背面側がベース部材３０の前面側に係合することで、ベース部材３０に装着される。ここで、図３にカバー部材２０の背面側の構造を示し、図４にベース部材３０の前面側の構造を示す。なお、図４では、説明のため、ルーバ４０を取り外した状態のベース部材３０の外観を示している。
【００２０】
先ず、カバー部材２０は、例えば合成樹脂により一体成型される部材であり、上板部２０ａ、側板部２０ｂ、２０ｂ、前傾斜板部２０ｃを備え、裏面側および下部側が開放された、いわゆるフード状の形態を有している。カバー部材２０をベース部材３０の開口部を覆うように装着すると、当該カバー部材２０の下部に、左側板部２０ｂ、前傾斜板部２０ｃ、右側板部２０ｂおよびベース部材３０で囲われる通気用の開口が画成される。
【００２１】
カバー部材２０の側板部２０ｂ、２０ｂの下部後端隅部には、嵌合凹部２２、２２がそれぞれ形成されている。嵌合凹部２２は、側板部２０ｂの側面の一部と前面の一部が四角に切り欠かれた形状となっている。また、カバー部材２０の側板部２０ｂ、２０ｂには、嵌合凹部２２、２２に隣接して互いに内向きの、詳しくは、開放部２１内に向かって突出する突起片２３、２３が形成されている。本明細書では、突起片２３が開放部２１内に向かって突出する幅寸法Ｗとし、側板部２０ｂの下端から上方に延びる高さ寸法Ｈとして説明する（図３参照）。
【００２２】
カバー部材２０の内壁には、左側板部２０ｂ、前傾斜板部２０ｃおよび右側板部２０ｂに亘り突出する補強リブ２４が形成されている。補強リブ２４は、カバー部材２０の下端から突起片２３の高さＨに相当する高さ位置に形成される。補強リブ２４の端部は突起片２３、２３に接続しておらず、それらの間には間隙２５が設けられている。このような補強リブ２４により、カバー部材２０全体の強度を確保するとともに、後述するようにカバー部材２０の着脱に際して押圧されたときの側板部２０ｂ、２０ｂの弾性変形をある程度許容している。
【００２３】
次に、ベース部材３０を説明する。ベース部材３０は、中央に通気用の開口部３１を有する略台形状の取付板部３２を有する合成樹脂製の部材からなる。ベース部材３０の左右両端の下方部には、係合部である嵌合凸部３３、３３が形成されている。これら嵌合凸部３３、３３に、カバー部材２０の側板部２０ｂ、２０ｂの隅部に形成した被係合部である嵌合凹部２２、２２を係合させることで、カバー部材２０がベース部材３０に着脱可能に装着される。
【００２４】
また、ベース部材３０には、上述したカバー部材２０の突起片２３、２３を案内するフランジ状のガイド部３４が形成されている。ガイド部３４は、取付板部３２の前方側に当該取付板部３２の側辺および上辺に沿い、それらと一定の距離だけ離間して対向している。ガイド部３４の左右両下端は、ベース部材３０の底板部（覆い部）３５に接続しており、その接続部分が後述する規制片３６、３６となっている。
【００２５】
また、ガイド部３４において、規制片３６、３６よりも上方であって、かつ、嵌合凸部３３、３３よりも若干上方の位置に、所定長さだけ内側に切り欠かれた切欠き部３７、３７が形成されている。切欠き部３７、３７の前記所定長さは、上述したカバー部材２０の突起片２３、２３の高さ寸法Ｈよりも若干長く形成されている。また、切欠き部３７、３７の深さは、突起片２３、２３の前記幅寸法Ｗよりも若干深く形成されている。
【００２６】
上述したようにカバー部材２０はベース部材３０に着脱可能に装着される。カバー部材２０をベース部材３０から取り外す方法は次の通りである。なお上述したように、カバー部材２０は、左右の側板部２０ｂ、２０ｂの下部に形成した嵌合凹部２２、２２にベース部材３０の嵌合凸部３３、３３が外側から係合してベース部材３０に装着している（図５Ａ参照）。このとき、カバー部材２０の突起片２３、２３が、ベース部材３０の左右の規制片３６、３６に当接した状態にあるので、カバー部材２０の前方への移動、つまり取り外しが規制されている（図５Ｂ、図５Ｃ参照）。
【００２７】
（１）先ず、カバー部材２０の左右の側板部２０ｂ、２０ｂの下部を互いに接近する側に押圧することにより、側板部２０ｂ、２０ｂが内側に撓み、ベース部材３０の嵌合凸部３３とカバー部材２０の嵌合凹部２２との係合が解除される。
（２）押圧により側板部２０ｂ、２０ｂが撓み、嵌合凸部３３と嵌合凹部２２との係合が解除されると、カバー部材２０の突起片２３、２３がベース部材３０の規制片３６、３６の奥に入り込む。そのため、嵌合凸部３３と嵌合凹部２２との係合が解除されても、カバー部材２０の前方への移動が規制された状態が維持される（図６Ａ、図６Ｂ参照）。
（３）そして、側板部２０ｂ、２０ｂを押圧しながらカバー部材２０を、ガイド部３４に沿って若干上方にスライドして移動させる。このとき、カバー部材２０の突起片２３は、ベース部材３０の切欠き部３７の奥で係止される。そのため、カバー部材２０の前方への移動が規制され、カバー部材２０は依然取り外すことができない状態のままである（図７Ａ、図７Ｂ参照）。
（４）カバー部材２０の押圧を止めて側板部２０ｂ、２０ｂの撓みを開放すると、突起片２３、２３が切欠き部３７よりも外側に位置し露出する。これによりカバー部材２０の前方への移動が許容され、カバー部材２０をその位置で前方に引き抜くことで、ベース部材３０から取り外すことができる。
【００２８】
なお、カバー部材２０をベース部材３０に装着するときには、上述した方法とは逆の操作をすればよい。すなわち、カバー部材２０の突起片２３、２３を切欠き部３７、２７の外側を通してガイド部３４の奥に設置し、側板部２０ｂ、２０ｂを押圧して内側に撓ませながらカバー部材２０を下方に移動させ、そしてカバー部材２０の下部とベース部材３０の底板部（覆い部）３５とが当接する位置で押圧を開放することで嵌合凸部３３と嵌合凹部２２とが係合し、カバー部材２０がベース部材３０にしっかりと装着される。
【００２９】
上述した実施形態においては、ベース部材３０の左右両端部に嵌合凹部３３、３３を、カバー部材２０の左右両端部に嵌合凸部２２、２２を形成したものである。しかし、ベース部材３０の左右両端部の少なくとも一方端部側のみに嵌凹部３３を形成し、カバー部材２０の対応する端部側のみに嵌合凸部２２を形成するものでもよい。更に図９に示すように、ベース部材３０に被係合部（例えば嵌合凹部３８）を形成し、カバー部材２０に係合部（例えば嵌合凸部２８）を形成するものであっても良い。
【００３０】
本実施形態の換気装置１０によれば、下記の有利な効果を奏する。
カバー部材２０の正面に外力が加えられるとカバー部材２０の側版部２０ｂ、２０ｂが開く方向に変形するが、本実施形態ではカバー部材２０の嵌合凹部２２にベース部材３０の嵌合凸部３３が外側から係止する構造のため、これらの係止が外れることはない。
また、カバー部材２０をベース部材３０から取り外すには、一旦、側版部２０ｂ、２０ｂを内側に押圧して撓ませ、その状態でカバー部材２０を上方に移動させる操作が必要である。そのため、カバー部材２０が、振動や衝撃等で不用意に脱落するのを確実に防止することができる。
また、カバー部材２０は、ネジ等の固定器具を用いることなく比較的簡単な操作でベース部材３０に着脱でき、換気装置１０のメンテナンス性や利便性においても優れている。
【符号の説明】
【００３１】
１０  換気装置
２０  カバー部材
２１  開放部
２２  嵌合凹部（被係合部）
２３  突起片
２４  補強リブ
３０  ベース部材
３１  開口部
３２  取付板部
３３  嵌合凸部（係合部）
３４  ガイド部
３５  底板部
３６  規制片
３７  切欠き部
【図１】
0006695628.tif 000002
【図２】
0006695628.tif 000003
【図３】
0006695628.tif 000004
【図４】
0006695628.tif 000005
【図５Ａ】
0006695628.tif 000006
【図５Ｂ】
0006695628.tif 000007
【図５Ｃ】
0006695628.tif 000008
【図６Ａ】
0006695628.tif 000009
【図６Ｂ】
0006695628.tif 000010
【図７Ａ】
0006695628.tif 000011
【図７Ｂ】
0006695628.tif 000012
【図８Ａ】
0006695628.tif 000013
【図８Ｂ】
0006695628.tif 000014
【図９】
0006695628.tif 000015